(57)【要約】【課題】洗い場パンと、断熱部材と、補強板とで構成される多層構造の洗い場としながら、高い断熱性と剛性とを有する洗い場構造とする。【解決手段】洗い場１は、洗い場パン２と、洗い場パン２の下側に配設される補強板４と、洗い場パン２と上記補強板４との間に配設される断熱部材３とを有している。洗い場パン２の外周縁部には、補強板４の外周縁部が固定される外側取付座部２６が設けられ、洗い場パン２の外周縁部よりも内側には、補強板４の外周縁部よりも内側が固定される内側取付座部２７が設けられている。断熱部材３には、外側取付座部２６と内側取付座部２７とがそれぞれ挿通する外側貫通孔３１と内側貫通孔３２とが形成され、補強板４が外側取付座部２６と内側取付座部２７とに固定用ボルトＢ１で固定される。【選択図】図２
2010255230.tif 000002
【特許請求の範囲】
【請求項１】
樹脂製のパネル状の洗い場パンと、
該洗い場パンの下側に配設される補強板と、
上記洗い場パンと上記補強板との間に配設される断熱部材とを有する洗い場構造であって、
上記洗い場パンの外周縁部には、上記補強板の外周縁部が固定される外側取付座部が設けられ、
上記洗い場パンの外周縁部よりも内側には、上記補強板の外周縁部よりも内側が固定される内側取付座部が設けられ、
上記断熱部材には、上記外側取付座部と上記内側取付座部とがそれぞれ挿通する外側貫通孔と内側貫通孔とが形成され、
上記補強板が上記取付座部に固定部材により固定されていることを特徴とする洗い場構造。
【請求項２】
請求項１に記載の洗い場構造であって、
補強板にはフレーム部が取り付けられ、
上記フレーム部と上記補強板とが洗い場パンの外側取付座部及び／又は内側取付座部に固定部材で一体に固定されることを特徴とする洗い場構造。
【請求項３】
請求項１又は２に記載の洗い場構造であって、
洗い場パンの下面には補強板の上面に向かって突出するとともに上記洗い場パンの一端から他端まで繋がる補強リブが形成され、
上記補強リブは、上記補強板の上面に先端が接する当接部と、上記補強板の上面から先端が離れるように形成された非当接部とを有し、
断熱部材には、上記当接部が挿通する挿通部と、上記非当接部が入り込む溝部とが形成されていることを特徴とする洗い場構造。
【請求項４】
請求項１から３のいずれか１つに記載の洗い場構造であって、
洗い場パンの外周縁部には、下方に突出する周壁部と、該周壁部と外側取付座部との間を繋ぐ周縁リブとが設けられていることを特徴とする洗い場構造。
【請求項５】
請求項１から４のいずれか１つに記載の洗い場構造であって、
洗い場パンと補強板との間には上記洗い場パンに固定される補強部材が設けられ、
上記補強板と上記補強部材とが洗い場パンの内側取付座部及び／又は外側取付座部に固定部材で一体に固定されることを特徴とする洗い場構造。
【発明の詳細な説明】
【技術分野】
【０００１】
本発明は、洗い場パンと、断熱部材と、補強板とで構成される多層構造の洗い場構造に関する。
【背景技術】
【０００２】
従来より、浴室の洗い場構造は剛性及び断熱性の高いものが望まれる。例えば特許文献１では、洗い場パンの下面において蛇行する溝が形成され、この溝に温水配管が配設されている。そして、上記洗い場パンの下面には発泡プラスチックからなる断熱部材が配設され、その下側には細長い補強部材が配設され、上記断熱部材と補強部材とがボルトを用いて洗い場パンに一体に固定されている。
【０００３】
また特許文献２では、洗い場パンと補強板との間において、内部に温水配管を配設した断熱部材と、合成樹脂発泡層とが配設されている。そして、洗い場パンの周壁部と補強板とをビスで固定して洗い場が組み立てられるようになっている。
【先行技術文献】
【特許文献】
【０００４】
【特許文献１】特開２００３−３３６３０５号公報
【特許文献２】特開２００７−３０３７００号公報
【発明の概要】
【発明が解決しようとする課題】
【０００５】
ところで、特許文献１では、洗い場パンの下面に配設された断熱部材に対し、補強部材がボルトで固定されているが、断熱部材は発泡プラスチックからなるものなので、ボルトを締め過ぎると補強部材が断熱部材に食い込んでいき、補強部材を洗い場パンに対し強固に固定できず高い剛性が得られなくなる可能性がある。
【０００６】
また、特許文献２では、洗い場パンと補強板とを固定するためのビスが洗い場パンの中央部分になく、洗い場パンの中央部分と補強板の中央部分とは固定されていない状態となっている。したがって、例えば、経年変化等により断熱部材の中央部分が下がって洗い場パンと断熱部材との間に隙間が発生し、結果として断熱性の低下を引き起こすおそれがあるとともに、洗い場パンの中央部分では補強板による補強効果が得られず剛性が低下する懸念がある。
【０００７】
本発明は斯かる点に鑑みてなされたものであり、その目的とするところは、洗い場パンと、断熱部材と、補強板とで構成される多層構造の洗い場としながら、高い断熱性と剛性とを有する洗い場構造とすることにある。
【課題を解決するための手段】
【０００８】
上記目的を達成するために、第１の発明では、樹脂製のパネル状の洗い場パンと、該洗い場パンの下側に配設される補強板と、上記洗い場パンと上記補強板との間に配設される断熱部材とを有する洗い場構造であって、上記洗い場パンの外周縁部には、上記補強板の外周縁部が固定される外側取付座部が設けられ、上記洗い場パンの外周縁部よりも内側には、上記補強板の外周縁部よりも内側が固定される内側取付座部が設けられ、上記断熱部材には、上記外側取付座部と上記内側取付座部とがそれぞれ挿通する外側貫通孔と内側貫通孔とが形成され、上記補強板が上記取付座部に固定部材により固定されている構成とした。
【０００９】
第２の発明では、第１の発明において、補強板にはフレーム部が取り付けられ、上記フレーム部と上記補強板とが洗い場パンの外側取付座部及び／又は内側取付座部に固定部材で一体に固定される構成とした。
【００１０】
第３の発明では、第１又は第２の発明において、洗い場パンの下面には補強板の上面に向かって突出するとともに上記洗い場パンの一端から他端まで繋がる補強リブが形成され、上記補強リブは、上記補強板の上面に先端が接する当接部と、上記補強板の上面から先端が離れるように形成された非当接部とを有し、断熱部材には、上記当接部が挿通する挿通部と、上記非当接部が入り込む溝部とが形成されている構成とした。
【００１１】
第４の発明では、第１から３のいずれか１つの発明において、洗い場パンの外周縁部には、下方に突出する周壁部と、該周壁部と外側取付座部との間を繋ぐ周縁リブとが設けられている構成とした。
【００１２】
第５の発明では、第１から４のいずれか１つの発明において、洗い場パンと補強板との間には該洗い場パンに固定される補強部材が設けられ、上記補強板と上記補強部材とが洗い場パンの内側取付座部及び／又は外側取付座部に固定部材で一体に固定される構成とした。
【発明の効果】
【００１３】
第１の発明によれば、洗い場パンの下面には外側取付座部と内側取付座部とが形成され、外側取付座部と内側取付座部とを断熱部材の外側貫通孔と内側貫通孔とにそれぞれ挿通させるようにしたので、洗い場パンと補強板とを直接固定でき、しかも、洗い場パンの外周縁部に形成された外側取付座部と、該外側取付座部より内側に形成された内側取付座部とを有するので、洗い場パンの外周縁部と洗い場パンの中央部分との両方を補強板に固定でき、剛性の高い洗い場構造とすることができる。さらに、洗い場パンの外周縁部と洗い場パンの中央部分とを補強板に固定するようにしたことで、洗い場パンと補強板との間の断熱部材が全体に亘って洗い場パンの下面から離れにくくなり高い断熱性を得ることができる。
【００１４】
第２の発明によれば、フレーム部と補強板とが洗い場パンの共通の外側取付座部及び／又は内側取付座部に固定部材で一体に固定されるので洗い場全体がさらに補強されるようになる。したがって、より剛性の高い洗い場構造とすることができる。
【００１５】
第３の発明によれば、洗い場パンの補強リブが洗い場パンの一端から他端まで延びているので洗い場パン自体の剛性を高めることができ、その補強リブの当接部が補強板と接するので、全体として高い剛性を得ることができる。また、補強リブの非当接部が補強板と接しないので、洗い場パンと補強板との間で形成される断熱部材配設用の空間が上記補強リブによって完全に分割されない。したがって、洗い場パンと補強板との間の断熱部材を分割して成形する必要がなく一体成形品とすることができる。これにより断熱部材を成形するための型費を削減でき、ひいてはコストを低減することができる。また、断熱部材が一体成形品となっているので、洗い場パンに断熱部材を組み付ける際の組付け性も向上する。
【００１６】
第４の発明によれば、外側取付座部が周縁リブによって洗い場パンの周壁部と繋がるので、外側取付座部の強度を高めることができ、補強板をより一層強固に固定することができる。
【００１７】
第５の発明によれば、洗い場パンに補強部材が固定され、該補強部材と補強板とが洗い場パンの共通の内側取付座部及び／又は外側取付座部に固定部材で一体に固定されるので洗い場全体がさらに補強されるようになり、剛性の高い洗い場構造とすることができる。
【図面の簡単な説明】
【００１８】
【図１】本発明の実施形態１の洗い場を示す斜視図である。
【図２】本発明の洗い場の分解斜視図である。
【図３】図１のＡ−Ａ線における断面図である。
【図４】図１のＢ−Ｂ線における断面図である。
【図５】図１のＣ−Ｃ線における断面図である。
【図６】図１のＡ−Ａ線における洗い場の組み立て前の状態を示す図である。
【図７】本発明の断熱部材を示す図であり、図７（ａ）は断熱部材を上側から見た図であり、図７（ｂ）は断熱部材を下側から見た図である。
【図８】実施形態２における図２相当図である。
【図９】実施形態２の変形例１における図２相当図である。
【図１０】実施形態２の変形例２における図２相当図である。
【図１１】実施形態２の変形例３における図２相当図である。
【発明を実施するための形態】
【００１９】
以下、本発明の実施形態を図面に基づいて詳細に説明する。尚、以下の好ましい実施形態の説明は、本質的に例示に過ぎず、本発明、その適用物或いはその用途を制限することを意図するものではない。
《発明の実施形態１》
図１は、本発明の実施形態１に係る洗い場１を示すものである。洗い場１は浴室の床面に設置して使用され、図２に示すように、略矩形の板状をなす洗い場パン２と、洗い場１の断熱性を高める断熱部材３と、洗い場パン２を補強する補強板４と、洗い場１を床面に設置する際の脚となるフレーム部５とから構成されている。
【００２０】
洗い場パン２は、樹脂を用いて成形されたものであり、例えば、バルクモールディングコンパウンドを射出成形したものである。図２に示すように、洗い場パン２は、パネル状のパネル面部２１と、該パネル面部２１の外周縁部から上方に突出する上側周壁部２１ａと、上記パネル面部２１の外周縁部から下方に突出するとともに上記上側周壁部２１ａの外周形状よりも小さな外周形状をなす下側周壁部２１ｂとを有している。
【００２１】
図１に示すように、パネル面部２１における長手方向中央の奥側には中心軸が上下方向に延びる排水管２１ｅがパネル面部２１を貫通するように設けられている。パネル面部２１には、上記排水管２１ｅの上方周縁において段差部２１ｄが形成されている。図２に示すように、上記排水管２１ｅの下端は下側周壁部２１ｂの下端よりも下方に突出するようになっている。
【００２２】
図１に示すように、パネル面部２１の上面は、上記排水管２１ｅに近づくほど下側に位置するように傾いている。これにより、パネル面部２１上に溜まる入浴水を排水管２１ｅへと導けるようになっている。また、図示しないが、パネル面部２１の上面には入浴者が足を滑らせないように小さな凹凸加工が施されている。
【００２３】
図２に示すように、上記パネル面部２１の下面には、長手方向中央の奥側に排水管２１ｅを避けるように手前側に窪む凹壁部２１ｃが形成されている。また、パネル面部２１の下面には、補強板４を洗い場パン２に固定するための奥側取付座部２６ａ〜２６ｆ、手前側取付座部２６ｇ〜２６ｍ、一側取付座部２６ｎ、他側取付座部２６ｏ、奥側取付座部２６ｐ、２６ｑ及び中央取付座部２７ａ、一側内方取付座部２７ｂ、他側内方取付座部２７ｃ、奥側内方取付座部２７ｄ〜２７ｈ、手前側内方取付座部２７ｉ、２７ｊが設けられている。さらに、パネル面部２１の下面には、洗い場パン２を補強する第１主リブ（補強リブ）２４ａ、第２主リブ（補強リブ）２４ｂ、補助リブ２４ｃ、周縁リブ２４ｄが設けられている。本発明の外側取付座部２６は、奥側取付座部２６ａ〜２６ｆ、手前側取付座部２６ｇ〜２６ｍ、一側取付座部２６ｎ、他側取付座部２６ｏ、奥側取付座部２６ｐ、２６ｑで構成され、内側取付座部２７は、中央取付座部２７ａ、一側内方取付座部２７ｂ、他側内方取付座部２７ｃ、奥側内方取付座部２７ｄ〜２７ｈ、手前側内方取付座部２７ｉ、２７ｊで構成されている。
【００２４】
奥側取付座部２６ａ〜２６ｆは、円筒形状をなし、中心軸が上下方向に沿うように一体成形されている。６つの奥側取付座部２６ａ〜２６ｆは、下側周壁部２１ｂの奥側の内壁面に沿って長手方向一側から順に間隔をあけて位置付けられている。また、７つの手前側取付座部２６ｇ〜２６ｍは、奥側取付座部２６ａ〜２６ｆと同様の形状をなし、下側周壁部２１ｂの手前側の内壁面に沿って長手方向一側から順に間隔をあけて位置付けられている。また、一側取付座部２６ｎは、奥側取付座部２６ａ〜２６ｆと同様の形状をなし、下側周壁部２１ｂの長手方向一側の内壁面の奥行き方向中央に位置付けられ、同様に、他側取付座部２６ｏは、下側周壁部２１ｂの長手方向他側の内壁面の奥行き方向中央に位置付けられている。さらに、奥側取付座部２６ｐは、奥側取付座部２６ａ〜２６ｆと同様の形状をなし、凹壁部２１ｃの長手方向一側の外壁面近傍に位置付けられ、同様に、奥側取付座部２６ｑは、長手方向他側の外壁面近傍に位置付けられている。
【００２５】
中央取付座部２７ａは、洗い場パン２の外周縁部よりも内側に位置付けられており、円筒形状をなし、中心軸が上下方向に延びるようにパネル面部２１の中央下面に一体成形されている。一側内方取付座部２７ｂは、中央取付座部２７ａと同様の形状をなし、上記中央取付座部２７ａと一側取付座部２６ｎとの間に位置付けられ、他側内方取付座部２７ｃは、中央取付座部２７ａと同様の形状をなし、中央取付座部２７ａと他側取付座部２６ｏとの間に位置付けられている。そして、上記中央取付座部２７ａと、一側内方取付座部２７ｂと、他側内方取付座部２７ｃと、一側取付座部２６ｎと、他側取付座部２６ｏとが長手方向において直線上に並ぶようになっている。
【００２６】
また、奥側内方取付座部２７ｄは、中央取付座部２７ａと同様の形状をなし、該中央取付座部２７ａの奥側に位置付けられている。これにより、手前側取付座部２６ｊと、中央取付座部２７ａと、奥側内方取付座部２７ｄとが洗い場パン２の奥側に向けて直線上に並ぶようになっている。
【００２７】
また、奥側内方取付座部２７ｅは、中央取付座部２７ａと同様の形状をなし、一側内方取付座部２７ｂと奥側取付座部２６ｂとの間に位置付けられている。これにより、手前側取付座部２６ｈと、一側内方取付座部２７ｂと、奥側内方取付座部２７ｅと、奥側取付座部２６ｂとが洗い場パン２の奥側へ向けて直線上に並ぶようになっている。
【００２８】
また、奥側内方取付座部２７ｆは、中央取付座部２７ａと同様の形状をなし、他側内方取付座部２７ｃと奥側取付座部２６ｅとの間に位置付けられている。これにより、手前側取付座部２６ｌと、他側内方取付座部２７ｃと、奥側内方取付座部２７ｆと、奥側取付座部２６ｅとが洗い場パン２の奥側へ向けて直線上に並ぶようになっている。
【００２９】
また、奥側内方取付座部２７ｇは、中央取付座部２７ａと同様の形状をなし、奥側内方取付座部２７ｄと奥側内方取付座部２７ｅとの間に位置付けられている。また、奥側内方取付座部２７ｈは、中央取付座部２７ａと同様の形状をなし、奥側内方取付座部２７ｄと奥側内方取付座部２７ｆとの間に位置付けられている。そして、上記５つの奥側内方取付座部２７ｄ〜２７ｈが長手方向において直線上に並ぶようになっている。
【００３０】
また、手前側内方取付座部２７ｉは、中央取付座部２７ａと同様の形状をなし、手前側取付座部２６ｉの奥側に位置付けられている。これにより、手前側取付座部２６ｉと、手前側内方取付座部２７ｉと、奥側内方取付座部２７ｇと、奥側取付座部２６ｃとが洗い場パン２の奥側へ向け直線上に並ぶようになっている。
【００３１】
また、手前側内方取付座部２７ｊは、中央取付座部２７ａと同様の形状をなし、手前側取付座部２６ｋの奥側に位置付けられている。これにより、手前側取付座部２６ｋと、手前側内方取付座部２７ｊと、奥側内方取付座部２７ｈと、奥側取付座部２６ｄとが洗い場パン２の奥側へ向けて直線上に並ぶようになっている。
【００３２】
上記外側取付座部２６及び内側取付座部２７の下端面は、洗い場パン２の下側周壁部２１ｂの下端面と面一になっている。さらには、上記外側取付座部２６及び内側取付座部２７には螺子穴ｈが中心軸に沿って形成されており、固定用ボルト（固定部材）Ｂ１を螺合できるようになっている。
【００３３】
第１主リブ２４ａは、板状をなし、パネル面部２１の奥向き中央部分の下面において長手方向に延びるように形成されている。上記第１主リブ２４ａの一端は下側周壁部２１ｂの一側内壁面に繋がり、上記第１主リブ２４ａの他端は下側周壁部２１ｂの他側内壁面に繋がっている。この第１主リブ２４ａの途中には、中央取付座部２７ａと、一側内方取付座部２７ｂと、他側内方取付座部２７ｃと、一側取付座部２６ｎと、他側取付座部２６ｏとが位置付けられるようになっている。第１主リブ２４ａは、補強板４を洗い場パン２に固定した時に、補強板４の上面に先端が接する当接部２４ｈと、補強板４の上面から先端が離れるように形成された非当接部２４ｉとを有している。上記当接部２４ｈは、中央取付座部２７ａ、一側内方取付座部２７ｂ、他側内方取付座部２７ｃ、一側取付座部２６ｎ、他側取付座部２６ｏの周縁に一体に形成されている。さらに当接部２４ｈは、中央取付座部２７ａと一側内方取付座部２７ｂとの間の略中央に１つ形成されるとともに中央取付座部２７ａと他側内方取付座部２７ｃとの間の略中央に１つ形成されている。
【００３４】
第２主リブ２４ｂは、板状をなし、上記第１主リブ２４ａと直交する方向に延びている。上記第２主リブ２４ｂの奥側端は下側周壁部２１ｂの奥側内壁面に繋がり、上記第２主リブ２４ｂの手前側端が下側周壁部２１ｂの手前側内壁面に繋がっている。この第２主リブ２４ｂの途中には、中央取付座部２７ａと、奥側内方取付座部２７ｄと、手前側取付座部２６ｊとが位置付けられるようになっている。第２主リブ２４ｂは、補強板４を洗い場パン２に固定した時に、補強板４の上面に先端が接する当接部２４ｊと、補強板４の上面から先端が離れるように形成された非当接部２４ｋとを有している。上記当接部２４ｊは、中央取付座部２７ａ、奥側内方取付座部２７ｄ、手前側取付座部２６ｊの周縁に一体に形成されている。さらに当接部２４ｊは、中央取付座部２７ａと手前側取付座部２６ｊとの間の略中央に１つ形成されている。
【００３５】
また、図２に示すように、パネル面部２１の下面には、補助リブ２４ｃと周縁リブ２４ｄとが形成されている。上記補助リブ２４ｃは、手前側内方取付座部２７ｉと手前側取付座部２６ｈとの間と、手前側内方取付座部２７ｊと手前側取付座部２６ｋとの間を繋ぐように形成されている。また、一側内方取付座部２７ｂと奥側内方取付座部２７ｅとの間と、他側内方取付座部２７ｃと奥側内方取付座部２７ｆとの間を繋ぐように形成されている。上記補助リブ２４ｃは、補強板４を洗い場パン２に固定した時に、補強板４の上面から先端が離れるように形成されている。
【００３６】
周縁リブ２４ｄは、下側周壁部２１ｂと奥側取付座部２６ａ〜２６ｆとの間を繋ぎ、下側周壁部２１ｂと手前側取付座部２６ｇ〜２６ｍとの間を繋いでいる。また、下側周壁部２１ｂと一側取付座部２６ｎとの間を繋ぎ、下側周壁部２１ｂと他側取付座部２６ｏとの間を繋いでいる。さらに、凹壁部２１ｃと奥側取付座部２６ｐ、２６ｑとの間を繋いでいる。上記周縁リブ２４ｄは洗い場パン２に補強板４を固定した時に、補強板４の上面と先端が接するように形成されている。
【００３７】
断熱部材３は、略矩形の板状をなし、発泡ポリスチレンで形成されている。図７に示すように、断熱部材３には、長手方向中央の奥側において切り欠き部３ａが形成されている。図６に示すように、断熱部材３の厚さが洗い場パン２の外側取付座部２６及び内側取付座部２７の高さよりも厚くなるように形成されている。そして、洗い場パン２に形成された外側取付座部２６に対応するように上下に貫通する外側貫通孔３１が形成されており、内側取付座部２７に対応するように上下に貫通する内側貫通孔３２が形成されている。これにより、洗い場パン２の下側に断熱部材を配設した時に、外側貫通孔３１に外側取付座部２６が挿通し、内側貫通孔３２に内側取付座部２７が挿通するようになっている。
【００３８】
また、断熱部材３は、洗い場パン２の第１主リブ２４ａの当接部２４ｈが挿通するように上下に貫通する挿通部３３ａと、上記第１主リブ２４ａの非当接部２４ｉが入り込むように断熱部材３の上面側に形成された溝部３３ｂとを有している。上記挿通部３３ａは、図７（ｂ）に示すように細長いスリット状をなしており、断熱部材３の奥行き方向中央において長手方向に複数形成されている。また溝部３３ｂは、図７（ａ）に示すように、断熱部材３の奥行き方向中央において長手方向に延びる凹形状をなしており、挿通部３３ａと溝部３３ｂとは長手方向に交互に形成されている。
【００３９】
また、断熱部材３は、洗い場パン２の第２主リブ２４ｂの当接部２４ｊが挿通するように上下に貫通する挿通部３４ａと、上記第２主リブ２４ｂの非当接部２４ｋが入り込むように断熱部材３の上面側に形成された溝部３４ｂとを有している。上記挿通部３４ａは、図７（ｂ）に示すように細長いスリット状をなしており、断熱部材３の長手方向中央において奥側へ向けて複数形成されている。また溝部３４ｂは、図７（ａ）に示すように、幅方向に延びる凹形状をなしており、挿通部３４ａと溝部３４ｂとは断熱部材３の奥側へ向けて交互に形成されている。
【００４０】
また、図７（ａ）に示すように、断熱部材３の上面側には、洗い場パン２の補助リブ２４ｃが入り込むように溝部３５が形成されている。上記溝部３５は、洗い場パン２に断熱部材３を配設した際に、補助リブ２４ｃと一致する位置において断熱部材３の奥側に向かって延びる凹形状をなしている。さらに、断熱部材３の周縁には、洗い場パン２に断熱部材３を配設した際に、周縁リブ２４ｄと一致する位置において、細長いスリット状の切り欠き部３６が外側貫通孔３１と連通するように形成されている。
【００４１】
図２に示すように、補強板４は、略矩形の鋼板であり、外周形状が下側周壁部２１ｂの外周形状と一致する形状となっている。補強板４には、長手方向中央の奥側において切り欠き部４ａが形成されている。補強板４には、補強板４を洗い場パン２の下側に配設した際に、洗い場パン２の外側取付座部２６及び内側取付座部２７と一致する位置に上下に貫通する貫通孔４１が形成されている。また、補強板４には、補強板４を洗い場パン２の下側に配設した際に、一側内方取付座部２７ｂと一側取付座部２６ｎとの間の位置と、他側内方取付座部２７ｃと他側取付座部２６ｏとの間の位置とにおいて螺合孔４２が形成されている。
【００４２】
図２に示すように、フレーム部５は、平面視で略矩形となるように鉄製の角パイプを繋ぎ合わせてなるフレーム本体５１と、フレーム本体５１の四隅において下方向に突出する脚部５２とを有している。上記フレーム本体５１の外周形状は、補強板４の外周形状より小さく形成されている。上記フレーム部５を補強板４の下面に配設すると、フレーム本体５１の奥側に位置する角パイプが補強板４の切り欠き部４ａより手前側に位置するようになり、フレーム本体５１の手前側に位置する角パイプが補強板４の手前側端部より若干奥側に位置するようになる。また、フレーム本体５１の長手方向に位置する両角パイプは、補強板４の螺合孔４２の下方に位置するようになる。
【００４３】
図２に示すように、上記フレーム本体５１には、奥側のフレーム及び手前側のフレームにおいて、上下方向に貫通する共締孔５３が長手方向に間隔あけて５つ形成されている。また、フレーム本体５１における長手方向中央の奥向きに延びるフレームには、上下方向に貫通する共締孔５３が１つ形成されている。さらに、フレーム本体５１の長手方向一側及び他側に位置するフレームには、上下方向に貫通する取付孔５４がそれぞれ１つ形成されている。上記フレーム部５を補強板４の下面に配設すると、フレーム本体５１の共締孔５３が補強板４の貫通孔４１を介して、洗い場パン２の中央取付座部２７ａと、手前側取付座部２６ｈ〜２６ｌと、奥側内方取付座部２７ｄ〜２７ｈとに一致するようになっている。また同時に、フレーム本体５１の取付孔５４が補強板４の螺合孔４２と一致するようになっている。
【００４４】
図４に示すように、脚部５２の先端には、洗い場１の高さを調整するための高さ調整用ボルトＢ２とナットＮｕとが取り付けられている。これにより、高さ調整用ボルトＢ２で高さを調整し、ナットＮｕを用いて調整した高さを維持することができるようになっている。
【００４５】
次に、上記のように構成された洗い場１を製造する要領について説明する。まず、図６に示すように、断熱部材３を洗い場パン２の下面側から下側周壁部２１ｂ内へ挿入する。このとき、断熱部材３に形成された外側貫通孔３１に外側取付座部２６が挿通し、内側貫通孔３２に内側取付座部２７が挿通する。また、図５に示すように、第１主リブ２４ａの当接部２４ｈが断熱部材３の挿通部３３ａに挿通し、非当接部２４ｉが断熱部材３の溝部３３ｂに入り込む。また同様に、第２主リブ２４ｂの当接部２４ｊが断熱部材３の挿通部３４ａに挿通し、非当接部２４ｋが断熱部材３の溝部３４ｂに入り込む。さらに、補助リブ２４ｃが断熱部材３の溝部３５に入り込み、周縁リブ２４ｄが断熱部材３の切り欠き部３６に挿通する。このとき、断熱部材３の厚さは外側取付座部２６及び内側取付座部２７の高さよりも厚く形成されているので、断熱部材３の下部が洗い場パン２の下側周壁部２１ｂの下端より下方に飛び出すようになる。
【００４６】
次に、図２乃至図６に示すように、断熱部材３の下側に補強板４を配設し、該補強板４の下側にフレーム部５を配設する。そして、図４に示すように、フレーム本体５１に形成した共締孔５３と、補強板４に形成した貫通孔４１とに固定用ボルトＢ１を挿通させ、該固定用ボルトＢ１を洗い場パン２の中央取付座部２７ａ、手前側取付座部２６ｈ〜２６ｌ、奥側内方取付座部２７ｄ〜２７ｈの螺子穴ｈに締め込み、フレーム部５と補強板４とを洗い場パン２の外側取付座部２６及び内側取付座部２７に固定用ボルトＢ１で一体に固定する。
【００４７】
また、図３又は図５に示すように、補強板４に形成した貫通孔４１に固定用ボルトＢ１を挿通させ、該固定用ボルトＢ１を洗い場パン２の奥側取付座部２６ａ〜２６ｆ、手前側取付座部２６ｇ、２６ｍ、一側取付座部２６ｎ、他側取付座部２６ｏ、奥側取付座部２６ｐ、２６ｑ、一側内方取付座部２７ｂ、他側内方取付座部２７ｃ、手前側内方取付座部２７ｉ、２７ｊの螺子穴ｈに締め込み、補強板４を洗い場パン２に固定用ボルトＢ１で一体に固定する。
【００４８】
さらに、図５に示すように、フレーム本体５１の取付孔５４に固定用ボルトＢ１を挿通させ、該固定用ボルトＢ１を補強板４に形成した螺合孔４２に締め込み、フレーム部５を補強板４に固定用ボルトＢ１で一体に固定する。
【００４９】
このとき、断熱部材３の厚さは、外側取付座部２６及び内側取付座部２７の高さよりも厚く形成しているので、補強板４を洗い場パン２に固定した際に断熱部材３は厚さ方向に圧縮され、洗い場パン２及び補強板４にしっかりと密着する。また、断熱部材３に外側貫通孔３１及び内側貫通孔３２を設けたので、洗い場パン２の外側取付座部２６と内側取付座部２７とをそれぞれ挿通させて、外側取付座部２６と内側取付座部２７とに補強板４を直接固定できるようになる。また、洗い場パン２には外側取付座部２６だけでなく、内側取付座部２７によって補強板４の内側が固定されるようになり、洗い場１の中央部分において洗い場パン２と補強板４とがしっかりと固定されるようになる。
【００５０】
以上説明したように、この実施形態に係る洗い場１によれば、洗い場パン２の下面には外側取付座部２６と内側取付座部２７とが形成され、外側取付座部２６と内側取付座部２７とを断熱部材３の外側貫通孔３１と内側貫通孔３２とにそれぞれ挿通させるようにしたので、洗い場パン２と補強板４とを直接固定でき、しかも、洗い場パン２の外周縁部に形成された外側取付座部２６と、該外側取付座部２６より内側に形成された内側取付座部２７とを有するので、洗い場パン２の外周縁部と洗い場パン２の中央部分との両方を補強板４に固定でき、剛性の高い洗い場１とすることができる。さらに、洗い場パン２の外周縁部と洗い場パン２の中央部分とを補強板４に固定するようにしたことで、洗い場パン２と補強板４との間の断熱部材３が全体に亘って洗い場パン２の下面から離れにくくなり高い断熱性を得ることができる。
【００５１】
また、フレーム部５と補強板４とが洗い場パン２の共通の外側取付座部２６及び内側取付座部２７に固定用ボルトＢ１で一体に固定されるので洗い場１全体がさらに補強されるようになる。したがって、より剛性の高い洗い場１とすることができる。
【００５２】
また、洗い場パン２の第１主リブ２４ａが洗い場パン２の一端から他端まで延びており、洗い場パン２の第２主リブ２４ｂが洗い場パン２の手前側端から奥側端まで延びているので洗い場パン２自体の剛性を高めることができ、その第１主リブ２４ａの当接部２４ｈ及び第２主リブ２４ｂの当接部２４ｊの先端が補強板４の上面と接するので、全体として高い剛性を得ることができる。また、第１主リブ２４ａの非当接部２４ｉ及び第２主リブ２４ｂの非当接部２４ｋの先端が補強板４の上面から離れるように形成されているので、洗い場パン２と補強板４との間で形成される断熱部材３配設用の空間が上記第１主リブ２４ａ及び第２主リブ２４ｂによって完全に分割されない。したがって、洗い場パン２と補強板４との間の断熱部材３を分割して成形する必要がなく一体成形品とすることができる。これにより断熱部材３を成形するための型費を削減でき、ひいてはコストを低減することができる。また、断熱部材３が一体成形品となっているので、洗い場パン２に断熱部材３を組み付ける際の組付け性も向上する。
【００５３】
また、奥側取付座部２６ａ〜２６ｆ、手前側取付座部２６ｇ〜２６ｉ、手前側取付座部２６ｋ〜２６ｍ、奥側取付座部２６ｐ、２６ｑが周縁リブ２４ｄによって洗い場パン２の下側周壁部２１ｂ及び凹壁部２１ｃと繋がるので、奥側取付座部２６ａ〜２６ｆ、手前側取付座部２６ｇ〜２６ｉ、手前側取付座部２６ｋ〜２６ｍ、奥側取付座部２６ｐ、２６ｑの強度を高めることができ、補強板４をより一層強固に固定することができる。
【００５４】
尚、フレーム部５と補強板４とが洗い場パン２の共通の外側取付座部２６及び内側取付座部２７に固定用ボルトＢ１で一体に固定されるようになっているが、フレーム部５が洗い場パン２における外側取付座部２６にのみ補強板４と一体に固定されるようになっていてもよいし、洗い場パン２における内側取付座部２７にのみ補強板４と一体に固定されるようになっていてもよい。
《発明の実施形態２》
図８は本発明の実施形態２に係る洗い場１を示す。この洗い場１は、洗い場パン２と補強板４との間に補強部材６を設けて、洗い場１を補強する構成となっている。この実施形態２では、以下に述べる点が実施形態１と異なっているほかは、実施形態２と同様に構成されているので、同一構成箇所には同一の符号を付してその詳細な説明は省略する。
【００５５】
図８に示すように、実施形態２の洗い場パン２のパネル面部２１の下面には、補強部材６を洗い場パン２に固定するための中央取付座部２７ａ、一側補強部材用取付座部２７ｓ、２７ｔ、他側補強部材用取付座部２７ｕ、２７ｖが形成されている。また、中央取付座部２７ａの手前側に手前側内方取付座部２７ｒが形成されている。また、実施形態２の洗い場パン２では、実施形態１の洗い場パン２の奥側内方取付座部２７ｅ、２７ｆが取り除かれ、奥側内方取付座部２７ｄ、２７ｇ、２７ｈが実施形態１の洗い場パン２の位置に比べて若干手前側に位置するようになっている。さらに、手前側内方取付座部２７ｉ、２７ｊが実施形態１の洗い場パン２の位置に比べて若干奥側に位置するようになっている。
【００５６】
中央取付座部２７ａの高さは、外側取付座部２６より低くなるように形成されている。また、一側補強部材用取付座部２７ｓ、２７ｔは、中央取付座部２７ａと同様の形状をなし、該中央取付座部２７ａと一側内方取付座部２７ｂとの間に等間隔に位置付けられ、他側補強部材用取付座部２７ｕ、２７ｖは、中央取付座部２７ａと同様の形状をなし、中央取付座部２７ａと他側内方取付座部２７ｃとの間に等間隔に位置付けられている。そして、上記中央取付座部２７ａと、一側内方取付座部２７ｂと、他側内方取付座部２７ｃと、一側補強部材用取付座部２７ｓ、２７ｔと、他側補強部材用取付座部２７ｕ、２７ｖと、一側取付座部２６ｎと、他側取付座部２６ｏとが洗い場パン２の長手方向において直線上に並ぶようになっている。また、手前側内方取付座部２７ｉ、２７ｊ、２７ｒが洗い場パン２の長手方向において直線上に並ぶようになっている。
【００５７】
一側奥寄り取付座部２９ａは、外側取付座部２６よりも径が小さい円柱形状をなし、パネル面部２１の一側奥寄りに４つ位置付けられている。同様に、一側手前寄り取付座部２９ｂはパネル面部２１の一側手前寄りに４つ位置付けられ、他側奥寄り取付座部２９ｃはパネル面部２１の他側奥寄りに４つ位置付けられ、他側手前寄り取付座部２９ｄはパネル面部２１の他側手前寄りに４つ位置付けられている。上記一側奥寄り取付座部２９ａ、一側手前寄り取付座部２９ｂ、他側奥寄り取付座部２９ｃ、他側手前寄り取付座部２９ｄは、後述する実施形態２の変形例２において、実施形態２のフレーム部５を脚部７に変更したときに使用するものであり、洗い場パン２に汎用性を持たせるために実施形態２の洗い場パン２においても設けられている。
【００５８】
一側補強部材用取付座部２７ｓ及び他側補強部材用取付座部２７ｖの周縁と、一側補強部材用取付座部２７ｓと他側補強部材用取付座部２７ｖとの間には非当接部２４ｉが形成されている。そして、上記非当接部２４ｉの下端と中央取付座部２７ａ、一側補強部材用取付座部２７ｓ及び他側補強部材用取付座部２７ｖの下端とが面一となっている。
【００５９】
また、第２主リブ２４ｂの当接部２４ｊが、手前側内方取付座部２７ｒの周縁に一体に形成されるとともに、手前側内方取付座部２７ｒと下側周壁部２１ｂの手前側の壁面との間に形成されている。また、補助リブ２４ｃが、隣り合う一側奥寄り取付座部２９ａ同士を繋ぐように形成されている。上記補助リブ２４ｃは、一側手前寄り取付座部２９ｂと、他側奥寄り取付座部２９ｃと、他側手前寄り取付座部２９ｄとにおいても同様に形成されている。
【００６０】
断熱部材３には、該断熱部材３を洗い場パン２の下側に配設したときに、洗い場パン２に形成された手前側内方取付座部２７ｒと一致するように上下に貫通する内側貫通孔３２が形成されている。また、断熱部材３には、洗い場パン２に形成された一側奥寄り取付座部２９ａ、一側手前寄り取付座部２９ｂ、他側奥寄り取付座部２９ｃ、他側手前寄り取付座部２９ｄと一致するように上下に貫通する内側貫通孔３７が形成されている。
【００６１】
断熱部材３の奥向き方向中央の下面には、洗い場パン２の長手方向に延びる凹溝部３ｂが形成されている。上記凹溝部３ｂには、洗い場パン２の中央取付座部２７ａと、一側補強部材用取付座部２７ｓ、２７ｔと、他側補強部材用取付座部２７ｕ、２７ｖとに対応するように上下に貫通する貫通孔３ｃが長手方向に５つ形成されている。そして、洗い場パン２の下側に断熱部材３を配設したときに、一側奥寄り取付座部２９ａ、一側手前寄り取付座部２９ｂ、他側奥寄り取付座部２９ｃ、他側手前寄り取付座部２９ｄが内側貫通孔３７に挿通するようになっている。さらに、貫通孔３ｃに中央取付座部２７ａと、一側補強部材用取付座部２７ｓ、２７ｔと、他側補強部材用取付座部２７ｕ、２７ｖとが貫通孔３ｃに挿通するようになっている。
【００６２】
補強板４には、補強板４を洗い場パン２の下側に配設したときに、洗い場パン２の手前側内方取付座部２７ｒと一致する位置に貫通する貫通孔４１が形成されている。また、補強板４には、洗い場パン２の一側奥寄り取付座部２９ａ、一側手前寄り取付座部２９ｂ、他側奥寄り取付座部２９ｃ、他側手前寄り取付座部２９ｄと一致する位置に貫通する貫通孔４３が形成されている。
【００６３】
フレーム部５のフレーム本体５１は、長手方向に延びる第１角パイプ５５ａ及び第２角パイプ５５ｂの間に奥向きに延びる第３角パイプ５５ｃ、第４角パイプ５５ｄ、第５角パイプ５５ｅを繋ぎ合わせて形成されている。上記第３角パイプ５５ｃは、第１角パイプ５５ａ及び第２角パイプ５５ｂの長手方向一端よりも少し他側寄りに繋ぎ合わされ、上記第４角パイプ５５ｄは、第１角パイプ５５ａ及び第２角パイプ５５ｂの長手方向他端よりも少し一側寄りに繋ぎ合わされている。そして、第５角パイプ５５ｅが第３角パイプ５５ｃと第４角パイプ５５ｄとの中間部分において、第１角パイプ５５ａ及び第２角パイプ５５ｂに繋ぎ合わされている。上記フレーム部５を補強板４の下面に配設すると、フレーム本体５１の奥側に位置する第１角パイプ５５ａが補強板４の切り欠き部４ａより手前側に位置するようになり、フレーム本体５１の手前側に位置する第２角パイプ５５ｂが補強板４の手前側端部より若干奥側に位置するようになる。また、第３角パイプ５５ｃ及び第４角パイプ５５ｄは、洗い場パン２の手前側内方取付座部２７ｉ、２７ｊの下方に位置するようになっている。
【００６４】
フレーム本体５１の第１角パイプ５５ａには、洗い場１を組み立てたときに、洗い場パン２の奥側内方取付座部２７ｄ、２７ｇ、２７ｈと一致する共締孔５３と、補強板４の螺合孔４２と一致する取付孔５４が形成されている。また、第２角パイプ５５ｂには、洗い場パン２の手前側取付座部２６ｈ〜２６ｌと一致する共締孔５３が形成されている。また、第３角パイプ５５ｃには、洗い場パン２の手前側内方取付座部２７ｉと一致する共締孔５３が形成されている。また、第４角パイプ５５ｄには、洗い場パン２の手前側内方取付座部２７ｊと一致する共締孔５３が形成されている。また、第５角パイプ５５ｅの中央には洗い場パン２の手前側内方取付座部２７ｒと一致する共締孔５３が形成されている。
【００６５】
補強部材６は、鋼板によるプレス成形品であり、本体部６１とフランジ部６２とで構成されている。上記本体部６１は、洗い場パン２の長手方向に延びており、断面がコ字状で下側に開口している。本体部６１は、断熱部材３の下側に補強部材６を配設したときに、断熱部材３の凹溝部３ｂに嵌るようになっており、上記本体部６１の上面には、断熱部材３の貫通孔３ｃと一致する取付孔６１ａが形成されている。また、フランジ部６２は、断熱部材３の下側に補強部材６を配設したときに、フランジ部６２の上面が断熱部材３の下面に沿うようになっている。上記フランジ部６２には、断熱部材３の内側貫通孔３２と一致する共締孔６２ａが形成されている。
【００６６】
次に、上記のように構成された洗い場１を製造する要領について説明する。実施形態１と同様に、断熱部材３を洗い場パン２の下面側から挿入すると、洗い場パン２の手前側内方取付座部２７ｒが内側貫通孔３２に挿通し、一側奥寄り取付座部２９ａ、一側手前寄り取付座部２９ｂ、他側奥寄り取付座部２９ｃ、他側手前寄り取付座部２９ｄが内側貫通孔３７に挿通する。さらに、洗い場パン２の中央取付座部２７ａ、一側補強部材用取付座部２７ｓ、２７ｔ、他側補強部材用取付座部２７ｕ、２７ｖが断熱部材３の貫通孔３ｃに挿通する。
【００６７】
次に、断熱部材３の凹溝部３ｂに補強部材６を嵌め込み、取付孔６１ａに固定用ボルトＢ１を挿通させ、洗い場パン２の中央取付座部２７ａ、一側補強部材用取付座部２７ｓ、２７ｔ、他側補強部材用取付座部２７ｕ、２７ｖの螺子穴ｈに固定用ボルトＢ１を締め込む。これにより、補強部材６が洗い場パン２に固定される。
【００６８】
次に、断熱部材３の下側に補強板４を配設し、貫通孔４３に固定用ボルトＢ１を挿通させ、洗い場パン２の一側奥寄り取付座部２９ａ、一側手前寄り取付座部２９ｂ、他側奥寄り取付座部２９ｃ、他側手前寄り取付座部２９ｄの螺子孔ｈに固定用ボルトＢ１を締め込む。
【００６９】
次に、補強板４の下側にフレーム部５を配設し、フレーム部５に形成した共締孔５３と、補強板４に形成した貫通孔４１と、補強部材６に形成した共締孔６１ｂとに固定用ボルトＢ１を挿通させ、洗い場パン２の奥側内方取付座部２７ｄ、２７ｇ、２７ｈ及び手前側内方取付座部２７ｉ、２７ｊ、２７ｒの螺子穴ｈに固定用ボルトＢ１を締め込む。これにより、フレーム部５と補強板４と補強部材６とが洗い場パン２の共通の内側取付座部２７に固定用ボルトＢ１で一体に固定されるようになる。
【００７０】
以上説明したように、実施形態２に係る洗い場１によれば、洗い場パン２に補強部材６が固定され、該補強部材６と補強板４とが洗い場パン２の内側取付座部２７に固定用ボルトＢ１で一体に固定されるので洗い場１全体がさらに補強されるようになり、剛性の高い洗い場１とすることができる。
【００７１】
尚、実施形態２では、補強部材６を１つ洗い場パン２に取り付けているが、奥行き方向に複数取り付ける構成であってもよい。
【００７２】
また、補強部材６は、フランジ部６２が設けられていない本体部６１のみの形状であってもよい。
【００７３】
図９は実施形態２の変形例１を示す。この変形例１では、以下に述べる点が実施形態２と異なっているほかは、実施形態２と同様に構成されているので、同一構成箇所には同一の符号を付してその詳細な説明は省略する。すなわち、変形例１では、フレーム部５の代わりに脚部７が洗い場パン２の下面側に４つ取り付けられる構成となっている。
【００７４】
脚部７は、洗い場パン２の下面側の四隅に取り付けられる樹脂製の射出成形品であり、略矩形の取付座部７１と、該取付座部７１の下面から下方に突出する脚部本体７２とを有している。取付座部７１には、補強板４の下面に取付座部７１を配設した際に、貫通孔４３と一致するように貫通孔７１ａが形成されている。脚部本体７２は、断面が円状をなし、下側に向かって次第に径が小さくなるような略円錐状をなしている。該脚部本体７２の側壁には上下に延びるリブ７２ａが円周方向に複数形成されている。そして脚部本体７２の下端部分には、洗い場１の高さを調整するための高さ調整用ボルトＢ２が取り付けられている。
【００７５】
次に、洗い場１を製造する要領について説明する。この変形例１では実施形態２の製造の要領と異なっている点を以下に説明する。
【００７６】
洗い場パン２の下面に断熱部材３と補強部材６と補強板４とを配設した後、該補強板４の下面に脚部７を配設する。脚部７に形成した貫通孔７１ａと補強板４に形成した貫通孔４３とに固定用ボルトＢ１を挿通させ、該固定用ボルトＢ１を洗い場パン２の一側奥寄り取付座部２９ａ、一側手前寄り取付座部２９ｂ、他側奥寄り取付座部２９ｃ、他側手前寄り取付座部２９ｄの螺子孔ｈに固定用ボルトＢ１を締め込む。これにより、補強板４と脚部７とが洗い場パン２の内側取付座部２７に固定用ボルトＢ１で一体に固定されるようになる。したがって、樹脂製の脚部７を用いても剛性の高い洗い場１とすることができる。
【００７７】
図１０は実施形態２の変形例２を示す。この変形例２では、以下に述べる点が実施形態２と異なっているほかは、実施形態２と同様に構成されているので、同一構成箇所には同一の符号を付してその詳細な説明は省略する。すなわち、変形例２では、補強部材６のフランジ部６２が上側に位置するような向きで補強部材６を洗い場パン２に取り付けるようになっている。
【００７８】
図１０に示すように、変形例２で使用する洗い場パン２では、実施形態２における洗い場パン２の奥側内方取付座部２７ｄ、２７ｇ、２７ｈ、手前側内方取付座部２７ｒ、２７ｉ、２７ｊが設けられていない。また、実施形態２における洗い場パン２の中央取付座部２７ａ、一側補強部材用取付座部２７ｓ、２７ｔ、他側補強部材用取付座部２７ｕ、２７ｖの高さは、外側取付座部２６と同じ高さとなるように形成されている。また、第１主リブ２４ａの当接部２４ｈは、中央取付座部２７ａ、一側補強部材用取付座部２７ｓ、２７ｔ、他側補強部材用取付座部２７ｕ、２７ｖの周縁において一体に形成されている。
【００７９】
変形例２で使用する断熱部材３では、洗い場パン２の下面側に断熱部材３を配設したときに、実施形態２における洗い場パン２の奥側内方取付座部２７ｄ、２７ｇ、２７ｈ、手前側内方取付座部２７ｒ、２７ｉ、２７ｊに対応する内側貫通孔３２が形成されていない。また、断熱部材３の下面には、洗い場パン２の長手方向に真っ直ぐ延びる凹溝部３ｆが奥行き方向中央を中心として対称に一対形成されている。上記凹溝部３ｆは、断熱部材３の下面側に補強部材６を配設すると、補強部材６のフランジ部６２が嵌るようなっている。
【００８０】
変形例２で使用する補強板４には、洗い場パン２の下面側に補強板４を配設したときに、洗い場パン２の中央取付座部２７ａ、一側補強部材用取付座部２７ｓ、２７ｔ、他側補強部材用取付座部２７ｕ、２７ｖと一致する位置に貫通する貫通孔４４が形成されている。また、変形例２で使用する補強部材６のフランジ部６２には共締孔６２ａが形成されていない。
【００８１】
次に、洗い場１を製造する要領について説明する。この変形例２では実施形態２の製造の要領と異なっている点を以下に説明する。
【００８２】
断熱部材３を洗い場パン２の下面側から挿入した後、補強部材６のフランジ部６２が断熱部材３の凹溝部３ｆに嵌るように、補強部材６を断熱部材３の下側に配設する。そして、断熱部材３の下側に補強板４を配設し、貫通孔４４に固定用ボルトＢ１を挿通させ、洗い場パン２の中央取付座部２７ａ、一側補強部材用取付座部２７ｓ、２７ｔ、他側補強部材用取付座部２７ｕ、２７ｖの螺子穴ｈに固定用ボルトＢ１を締め込む。これにより、補強板４と補強部材６とが洗い場パン２の内側取付座部２７に固定用ボルトＢ１で一体に固定されるようになる。
【００８３】
以上説明したように、実施形態２の変形例２に係る洗い場１によれば、補強部材６と補強板４とが洗い場パン２の内側取付座部２７に固定用ボルトＢ１で一体に固定されるので剛性の高い洗い場１とすることができる。
【００８４】
図１１は実施形態２の変形例３を示す。この変形例３では、以下に述べる点が変形例１と異なっているほかは、変形例１と同様に構成されているので、同一構成箇所には同一の符号を付してその詳細な説明は省略する。すなわち、変形例３では、奥向き方向に延びる補強部材６ａ及び補強部材６ｂが取り付けられる構成となっている。
【００８５】
断熱部材３の下面には、奥行き方向に延びる溝部３ｄ及び溝部３ｅが形成されている。溝部３ｄは洗い場パン２の長手方向一側に位置し、奥行き方向中央部分が凹溝部３ｂにおける洗い場パン２の長手方向一端と繋がっている。溝部３ｄにおける洗い場パン２の長手方向他側は、長手方向一側よりも溝が深く形成されている。また、溝部３ｅは洗い場パン２の長手方向他側に位置し、奥行き方向中央部分が凹溝部３ｂにおける洗い場パン２の長手方向他端と繋がっている。溝部３ｅにおける洗い場パン２の長手方向一側は、長手方向他側よりも溝が深く形成されている。
【００８６】
補強部材６ａは、奥行き方向に延びる鋼板であり、長手方向他側に段差面部６３ａが形成されている。補強部材６ａは、断熱部材３の溝部３ｄに嵌るようになっている。また、補強部材６ａを洗い場パン２の下面に配設したときに、一側奥寄り取付座部２９ａ、一側手前寄り取付座部２９ｂと一致する位置に貫通孔６４ａが形成され、一側取付座部２６ｎと一致する位置に貫通孔６５ａが形成されている。
【００８７】
補強部材６ｂは、奥行き方向に延びる鋼板であり、長手方向一側に段差面部６３ｂが形成されている。補強部材６ｂは、断熱部材３の溝部３ｅに嵌るようになっている。また、補強部材６ｂを洗い場パン２の下面に配設したときに、他側奥寄り取付座部２９ｃ、他側手前寄り取付座部２９ｄと一致する位置に貫通孔６４ｂが形成され、他側取付座部２６ｏと一致する位置に貫通孔６５ｂが形成されている。
【００８８】
次に、洗い場１を製造する要領について説明する。この変形例３では変形例１の製造の要領と異なっている点を以下に説明する。
【００８９】
断熱部材３を洗い場パン２の下面側から挿入した後、補強部材６ａを溝部３ｄに嵌め、補強部材６ｂを溝部３ｅに嵌める。その後、補強部材６を断熱部材３の凹溝部３ｂに嵌める。このとき、補強部材６ａの段差面部６３ａ及び補強部材６ｂの段差面部６３ｂの下側に、補強部材６の本体部６１が配設されるようになる。そして、固定用ボルトＢ１を用いて洗い場パン２に補強部材６を固定し、と補強板４を配設して洗い場パン２と補強板４とを固定した後、脚部７の貫通孔７１ａと、補強板４の貫通孔４３と、補強部材６ａの貫通孔６４ａとに固定用ボルトＢ１を挿通し、固定用ボルトＢ１を洗い場パン２の一側奥寄り取付座部２９ａ、一側手前寄り取付座部２９ｂに締め込む。また、脚部７の貫通孔７１ａと、補強板４の貫通孔４３と、補強部材６ｂの貫通孔６５ｂとに固定用ボルトＢ１を挿通し、固定用ボルトＢ１を洗い場パン２の他側奥寄り取付座部２９ｃ、他側手前寄り取付座部２９ｄに締め込む。これにより、脚部７と補強板４と補強部材６ａとを洗い場パン２に一体に固定し、脚部７と補強板４と補強部材６ｂとを洗い場パン２に一体に固定するので、剛性の高い洗い場１とすることができる。
【００９０】
また、補強板４の貫通孔４１と、補強部材６ａの貫通孔６５ａとに固定用ボルトＢ１を挿通し、固定用ボルトＢ１を洗い場パン２の一側取付座部２６ｎに締め込む。同様に、補強板４の貫通孔４１と、補強部材６ｂの貫通孔６５ｂとに固定用ボルトＢ１を挿通し、固定用ボルトＢ１を洗い場パン２の他側取付座部２６ｏに締め込む。これにより、補強板４と補強部材６ａとが洗い場パン２の一側取付座部２６ｎに固定用ボルトＢ１で一体に固定されるようになり、補強板４と補強部材６ｂとが洗い場パン２の他側取付座部２６ｏに固定用ボルトＢ１で一体に固定されるようになる。
【００９１】
尚、補強部材６と補強部材６ａと補強部材６ｂとをそれぞれ洗い場パン２に組み付けるようになっているが、予め補強部材６と補強部材６ａと補強部材６ｂとを連結させておいてから洗い場パン２に組み付けるようにしてもよい。
【００９２】
以上説明したように、実施形態２の変形例３に係る洗い場１によれば、補強部材６と補強板４とが洗い場パン２の外側取付座部２６に固定用ボルトＢ１で一体に固定されるので剛性の高い洗い場１とすることができる。
【００９３】
尚、本発明の実施形態における洗い場パン２は、バルクモールディングコンパウンドを射出成形しているが、シートモールディングコンパウンドやＡＢＳやアクリルを射出成形してもよい。
【００９４】
また、断熱部材３の材質は、発泡ポリスチレンからなるがこれに限らず、例えば、発泡プロピレンからなるものを用いてもよい。
【００９５】
また、補強板４は鋼板製であるが、この材質に限らず、例えば、ＦＲＰ（繊維強化プラスチック）などを用いても良い。
【００９６】
また、フレーム部５は鉄製の角パイプを用いて形成されているが、この材質に限らず、例えば、ステンレスやアルミニウム等を用いてもよい。
【００９７】
また、補強部材６は断面がＬ字状で洗い場パン２の長手方向に延びるような鋼材を用いてもよい。
【００９８】
また、本発明ではフレーム部５における脚部５２の先端に高さ調整用ボルトＢ２を設けているが、高さ調整用ボルトＢ２を設けずに脚部５２のみの構成としてもよい。
【産業上の利用可能性】
【００９９】
本発明は、例えば、洗い場パンと、断熱部材と、補強板とで構成される多層構造の洗い場構造として適している。
【符号の説明】
【０１００】
１        洗い場
２        洗い場パン
２１ｂ        下側周壁部
２４ａ        第１主リブ（補強リブ）
２４ｂ        第２主リブ（補強リブ）
２４ｄ        周縁リブ
２４ｈ        当接部
２４ｉ        非当接部
２４ｊ        当接部
２４ｋ        非当接部
２６        外側取付座部
２７        内側取付座部
３        断熱部材
３ａ        切り欠き部
３１        外側貫通孔
３２        内側貫通孔
３３ａ        挿通部
３３ｂ        溝部
３４ａ        挿通部
３４ｂ        溝部
３５        溝部
３６        切り欠き部
４        補強板
４ａ        切り欠き部
５        フレーム部
５１        フレーム本体
５２        脚部
６        補強部材
６ａ        補強部材
６ｂ        補強部材
Ｂ１        固定用ボルト（固定部材）
Ｂ２        高さ調整用ボルト
Ｎｕ        ナット
【図１】
2010255230.tif 000003
【図２】
2010255230.tif 000004
【図３】
2010255230.tif 000005
【図４】
2010255230.tif 000006
【図５】
2010255230.tif 000007
【図６】
2010255230.tif 000008
【図７】
2010255230.tif 000009
【図８】
2010255230.tif 000010
【図９】
2010255230.tif 000011
【図１０】
2010255230.tif 000012
【図１１】
2010255230.tif 000013